(57)【要約】【課題】  建築用の断熱、結露防止効果を有するシート材、ボード材を提供する。【解決手段】  断熱ボード材１０は、容易に剥離可能な保護シート１１と、粘着シート層１２付きの基板１３を有する。粘着シート層１２は施工対象物へ断熱ボード材１０を接着するのに使用される。基板は、粘着層付自己消火性発泡塩ビボード又は粘着層付ポリスチレンボードでつくられる。基板１３に積層される断熱塗材コート層１４は、塗布式仕上一体型断熱塗材コート層であって、太陽光線の影響（輻射熱、赤外線）を反射することにより遮熱効果を高め、又、外部（低温側）に逃げる性質の熱エネルギーを封じ込める機能を持つ塗料により形成された層である。【選択図】        図１
2005290757.tif 000002
【特許請求の範囲】
【請求項１】
対象物への接着用の粘着層付きのボードと、
ボードに積層される塗布式仕上一体型断熱コート層とを備える断熱ボード。
【請求項２】
対象物への接着用の粘着層付きのシート材と、シート材に積層される塗布式仕上一体型断熱コート層とを備える断熱シート。
【請求項３】
基板と、基板上に積層される塗布式仕上一体型断熱塗材コート層とを備える断熱ルーフィング材。
【請求項４】
対象物への接着用の粘着層付きのボードと、ボードに塗布される塗布式仕上一体型結露防止コート層とを備える結露防止ボード。
【請求項５】
対象物への接着用の粘着層付きのシート材と、シート材に積層される塗布式仕上一体型結露防止コート層とを備える結露防止シート。
【請求項６】
建築用基板と、建築用基板上に塗布される塗布式仕上一体型断熱塗材コート層とを備える建築用断熱ボート材。
【請求項７】
建築用基板と、建築用基板上に塗布される塗布式仕上一体型結露防止コート層を備える建築用結露防止ボード材。
【請求項８】
請求項１，２，３又は６のいずれかにおいて、塗布式仕上一体型断熱塗布コート層は、太陽光線の輻射熱、赤外線を反射することにより遮熱効果を高め、又、外部（低温側）に逃げる性質の熱エネルギーを封じ込める機能を持つ塗料により形成された層である断熱シート又はボード。
【請求項９】
請求項４，５又は７のいずれかにおいて、塗布式仕上一体型結露防止塗材コート層は、含有する熱反射セラミックが、水分子と共に浸入する熱エネルギーを効率よく塗膜内に反射させることにより吸水性特殊セラミックの温度を上昇させ、給水した水分を速やかに発散させる層である結露防止シート又はボード。
【発明の詳細な説明】
【技術分野】
【０００１】
本発明は、断熱性及び断熱性と結露防止性を備えたボード及びシートに関する。
【背景技術】
【０００２】
例えば、下記の特許文献に開示された塗布式の断熱材は、良好な断熱性と結露防止性を発揮する。
この塗布式の断熱材は、アルミノ珪酸ソーダガラスと、顔料（二酸化チタン）と、樹脂エマルジョンと、分散剤と、粘着剤とを含み、アルミノ珪酸ソーダガラスが、中空ビーズ構造であり粒径が１０〜５０μｍであり、かつその含有量が断熱材の全重量の１０〜２０重量％である。空気層を含む中空ビーズ構造のアルミノ珪酸ソーダガラスは、具体的には、例えば商品名ＸＯＬ−２００（ザ  ビーキュー  コーポレーション製）が用いられる。乾燥厚さが０．８ｍｍの断熱層で、熱伝導率が約０．０３〜０．０５となる。
そして、上記の塗布式の断熱材は、（株）日進産業製の「シスタコート」（商標名）として知られている。
【特許文献１】特開２００２−１０５３８５号公報
【発明の開示】
【発明が解決しようとする課題】
【０００３】
上記の塗布式の断熱材は、良好な断熱性と結露防止性を備えるが、水性の塗料であるので、内装材に塗布するのに工数を要する等の問題があった。
本発明は、上述した問題を解決する断熱ボード、シート材や結露防止ボード、シート材を提供するものである。
【課題を解決するための手段】
【０００４】
本発明の断熱シート又はボードは、基板と、基板上に塗布される塗布式仕上一体型断熱塗材コート層を備え、塗布式仕上一体型断熱塗布コート層は、太陽光線の輻射熱、赤外線を反射することにより遮熱効果を高め、又、外部（低温側）に逃げる性質の熱エネルギーを封じ込める機能を持つ塗料により形成された層である。
又、結露防止シート又はボードは、基板と基板上に塗布される塗布式仕上一体型結露防止コート層を備え、塗布式仕上一体型結露防止塗材コート層は、含有する熱反射セラミックが、水分子と共に侵入する熱エネルギーを効率よく塗膜内に反射させることにより吸水性特殊セラミックの温度を上昇させ、給水した水分を速やかに発散させる層である。
【発明の効果】
【０００５】
本発明は以上のように、断熱ボードやシート又は結露防止製ボードや、シートが予めボード材やシート材として用意できるので、建築物の内装及び外装の下地材等に適用する際に、施工が容易であり、工数が低減できる。
又、予め塗料を工場で塗布することができ、仕上り品質も高く、美観も良い施工が達成される。
【発明を実施するための最良の形態】
【０００６】
図１は、本発明の断熱ボード材の断面構造を示す説明図である。
断熱ボード材１０は、容易に剥離可能な保護シート１１及び１５と、粘着シート層１２付きの基板１３を有する。粘着シート層１２は施工対象物へ断熱ボード材１０を接着するのに使用される。
中央部に積層される基板１３は、耐火性を有し、比重が１．０以下で厚さ０．５〜１．０ｍｍ程度のボードが使用される。
基板は、粘着層付自己消火性発泡塩ビボード又は粘着層付ポリスチレンボードでつくられる。
【０００７】
基板１３に積層される断熱塗材コート層１４は、塗布式仕上一体型断熱塗材コート層であって、太陽光線の影響（輻射熱、赤外線）を反射することにより遮熱効果を高め、又、外部（低温側）に逃げる性質の熱エネルギーを封じ込める機能を持つ塗料により形成された層である。このコート層１４の厚さは、０．６ｍｍ程度とする。
この断熱ボード材１０の厚さ寸法ｔ１は、２．０ｍｍ以下に設定される。
【０００８】
図２は、本発明の断熱シート材の断面構造を示す説明図である。
断熱シート材２０は、容易に剥離可能なフィルムシートの保護シート２１及び２５と、粘着シート層２２付きの基板２３を有する。粘着シート層２２は施工対象物へ断熱シート材２０を接着するのに使用される。
基板２３は、ポリエチレン又はポリプロピレン樹脂フィルムでつくられ、厚さは０．２ｍｍ以下のフィルムが使用される。
基板は、粘着層付塩化ビニールシート、粘着層付ポリエチレンシート、粘着層付セロハンシート、紙布（繊維製、無機質製）又は加工紙（防火紙、防錆紙、防油紙）でつくられる。
【０００９】
樹脂フィルムシート２３に積層される断熱塗材コート層２４は、塗布式仕上一体型断熱塗材コート層であって、太陽光線の影響（輻射熱、赤外線）を反射することにより遮熱効果を高め、又、外部（低温側）に逃げる性質の熱エネルギーを封じ込める機能を持つ塗料により形成された層である。このコート層２４の厚さは、０．６ｍｍ程度とする。
この断熱シート材２０の厚さ寸法ｔ２は、１．０ｍｍ以下に設定される。
【００１０】
図３は、本発明の断熱ルーフィング材の断面構造を示す説明図である。
断熱ルーフィング材３０は、容易に剥離可能なフィルムシートの保護シート３３と、基板３１と、塗布式仕上一体型断熱塗材コート層３２を有する。このコート層３２の厚さは、０．４〜０．６ｍｍ程度であって、太陽光線の影響（輻射熱、赤外線）を反射することにより遮熱効果を高め、又、外部（低温側）に逃げる性質の熱エネルギーを封じ込める機能を持つ塗料により形成された層である。
この断熱ルーフィング材３０の厚さ寸法ｔ３は、１．５ｍｍ以下に設定される。
【００１１】
図４は、本発明の結露防止ボード材の断面構造を示す説明図である。
結露防止ボード材４０は、容易に剥離可能なフィルムシートの保護シート４１及び４５と、粘着シート層４２付きの基板４３を有する。粘着シート層４２は施工対象物へ結露防止ボード材４０を接着するのに使用される。
中央部に積層される基板４３は、耐火性を有し、比重が１．０以下で厚さ０．５〜１．０ｍｍ程度の発泡ボードが使用される。
基板は、粘着層付自己消火性発泡塩ビボード又は粘着層付ポリスチレンボードでつくられる。
【００１２】
基板４３に積層される結露防止コート層４４は、塗布式仕上一体型断熱塗材結露防止層であって、含有する熱反射セラミックが、水分子と共に浸入する熱エネルギーを効率よく塗膜内に反射させることにより吸水性特殊セラミックの温度を上昇させ、給水した水分を速やかに発散させる層である。このコート層４４の厚さは、１．２ｍｍ程度とする。
この結露防止ボード材４０の厚さ寸法ｔ４は、３．０ｍｍ以下に設定される。
【００１３】
図５は、本発明の結露防止シート材の断面構造を示す説明図である。
結露防止シート材５０は、容易に剥離可能なフィルムシートの保護シート５１及び５５と、粘着シート層５２付きの基板５３を有する。粘着シート層５２は施工対象物へ結露防止シート材５０を接着するのに使用される。
基板は、粘着層付塩化ビニールシート、粘着層付ポリエチレンシート、粘着層付セロハンシート、紙布（繊維製、無機質製）又は加工紙（防火紙、防錆紙、防油紙）でつくられ、厚さは０．２ｍｍ以下のものが使用される。
【００１４】
基板５３に積層される結露防止コート層５４は、塗布式仕上一体型結露防止コート層であって、含有する熱反射セラミックが、水分子と共に浸入する熱エネルギーを効率よく塗膜内に反射させることにより吸水性特殊セラミックの温度を上昇させ、給水した水分を速やかに発散させる層である。このコート層５４の厚さは、１．２ｍｍ程度とする。
この結露防止シート材５０の厚さ寸法ｔ５は、２．０ｍｍ以下に設定される。
【００１５】
図６は、本発明の建築用断熱ボード材の断面構造を示す説明図である。
建築用断熱ボード材６０は、基板６１と、塗布式仕上一体型断熱塗材コート層６２と、容易に剥離可能な保護シート６３を有する。
基板６１は、石膏板又はケイ酸カルシウム板でつくられ、厚さは４．０ｍｍ〜１５．０ｍｍ程度とする
塗布式仕上一体型断熱塗材コート層６２は、太陽光線の影響（輻射熱、赤外線）を反射することにより遮熱効果を高め、又、外部（低温側）に逃げる性質の熱エネルギーを封じ込める機能を持つ塗料により形成された層である。
この建築用断熱ボード材６０の厚さ寸法ｔ６は、５．０ｍｍ〜１６．０ｍｍ程度とする。
【００１６】
図７は、本発明の建築用結露防止ボード材の断面構造を示す説明図である。
建築用結露防止ボード材７０は、基板７１と、塗布式仕上一体型結露防止コート層７２と、容易に剥離可能な保護シート７３を有する。
基板７１は、石膏板又はケイ酸カルシウム板でつくられ、厚さは４．０ｍｍ〜１５．０ｍｍ程度とする
塗布式仕上一体型結露防止コート層７２は、含有する熱反射セラミックが、水分子と共に浸入する熱エネルギーを効率よく塗膜内に反射させることにより吸水性特殊セラミックの温度を上昇させ、給水した水分を速やかに発散させる層である。
この建築用結露防止ボード材７０の厚さ寸法ｔ７は、６．０ｍｍ〜１７．０ｍｍ程度とする。
【図面の簡単な説明】
【００１７】
【図１】本発明の断熱ボードの説明図。
【図２】本発明の断熱シートの説明図。
【図３】本発明の断熱ルーフィング材の説明図。
【図４】本発明の結露防止ボードの説明図。
【図５】本発明の結露防止シートの説明図。
【図６】本発明の建築用断熱ボードの説明図。
【図７】本発明の結露防止ボードの説明図。
【符号の説明】
【００１８】
１０  断熱ボード
１１  保護シート
１２  粘着層
１３  基板
１４  塗布式仕上一体型断熱塗布コート層
１５  保護シート
【図１】
2005290757.tif 000003
【図２】
2005290757.tif 000004
【図３】
2005290757.tif 000005
【図４】
2005290757.tif 000006
【図５】
2005290757.tif 000007
【図６】
2005290757.tif 000008
【図７】
2005290757.tif 000009